(57)【要約】【課題】ボトル本体の開栓作業により、開封機構付き容器の収容空間を解放し、当該収容空間に収容された内容物と、ボトル本体に収容された内容物とを容易に混合することが可能な、開封機構付き容器および二重容器を提供する。【解決手段】開封機構付き容器４０は、第１外ねじ５１が形成されたボトルキャップ５０と、第１外ねじ５１に螺合する第１内ねじ６１が形成された外筒部６２と、第２外ねじ６３が形成された内筒部６４とを有する内キャップ６０と、内キャップ６０の第２外ねじ６３と螺合する第２内ねじ７１が形成された押し下げパーツ７０と、内キャップ６０の内筒部６４に着脱自在に取り付けられた中栓部８０と、を備えている。内キャップ６０を回転させた際、押し下げパーツ７０がボトル本体１０側に移動して中栓部８０を押圧し、中栓部８０を内キャップ６０の内筒部６４から取り外す。【選択図】図２
2019172314.tif 000002
【特許請求の範囲】
【請求項１】
ボトル本体の口部に装着され、外面に第１外ねじが形成されたボトルキャップと、
内面に前記ボトルキャップの前記第１外ねじに螺合する第１内ねじが形成された外筒部と、前記外筒部の径方向内側に位置し、外面に第２外ねじが形成された内筒部とを有する内キャップと、
前記ボトルキャップと前記内キャップの前記内筒部との間に配置され、内面に前記内キャップの第２外ねじと螺合する第２内ねじが形成された押し下げパーツと、
前記内キャップの前記内筒部に着脱自在に取り付けられた中栓部と、を備え、
少なくとも前記内キャップの前記内筒部と前記中栓部とによって内容物の収容空間が形成され、
前記内キャップを回転させた際、前記押し下げパーツが前記ボトル本体側に移動して前記中栓部を押圧し、前記中栓部を前記内キャップの前記内筒部から取り外す、開封機構付き容器。
【請求項２】
前記ボトルキャップと前記押し下げパーツとの間、および前記押し下げパーツと前記内キャップとの間に、シール部材が設けられている、請求項１に記載の開封機構付き容器。
【請求項３】
ボトル本体の口部に装着され、外面に第１外ねじが形成されたボトルキャップと、
内面に前記ボトルキャップの前記第１外ねじに螺合する第１内ねじが形成された外筒部と、前記外筒部の径方向内側に位置し、外面に第２外ねじが形成された内筒部とを有する内キャップと、
前記ボトルキャップと前記内キャップの前記内筒部との間に配置され、内面に前記内キャップの前記第２外ねじと螺合する第２内ねじが形成された押し下げパーツと、
前記内キャップの前記内筒部の内側に配置された内容器と、
前記内容器に着脱自在に取り付けられた中栓部と、を備え、
少なくとも前記内容器と前記中栓部とによって内容物の収容空間が形成され、
前記内キャップを回転させた際、前記押し下げパーツが前記ボトル本体側に移動して前記中栓部を押圧し、前記中栓部を前記内容器から取り外す、開封機構付き容器。
【請求項４】
前記ボトルキャップと前記押し下げパーツとの間、および前記押し下げパーツと前記内容器との間に、シール部材が設けられている、請求項３に記載の開封機構付き容器。
【請求項５】
前記内容器は、ガラスまたはシクロオレフィンポリマー樹脂からなる、請求項３または４に記載の開封機構付き容器。
【請求項６】
前記開封機構付き容器は、前記内キャップの前記内筒部に取り付けられた外栓部を更に備える、請求項３乃至５のいずれか一項に記載の開封機構付き容器。
【請求項７】
前記ボトルキャップの内面に、前記押し下げパーツの上方への移動を規制する規制部が形成されている、請求項１乃至６のいずれか一項に記載の開封機構付き容器。
【請求項８】
前記内キャップの前記外筒部に、ピルファープルーフバンドが設けられている、請求項１乃至７のいずれか一項に記載の開封機構付き容器。
【請求項９】
前記内キャップの前記内筒部の前記第２外ねじ、および前記押し下げパーツの前記第２内ねじのリードは、前記ボトルキャップの前記第１外ねじ、および前記内キャップの前記外筒部の前記第１内ねじのリードよりも大きい、請求項１乃至８のいずれか一項に記載の開封機構付き容器。
【請求項１０】
少なくとも口部と胴部とを含むボトル本体と、
前記ボトル本体の前記口部に装着された、請求項１乃至９のいずれか一項に記載の開封機構付き容器とを備える二重容器。
【発明の詳細な説明】
【技術分野】
【０００１】
本発明は、開封機構付き容器および二重容器に関する。
【背景技術】
【０００２】
従来から、収納部が設けられたキャップと、飲料水を充填した飲料容器本体との組み合わせからなる容器が知られている（例えば、特許文献１）。特許文献１に示す容器では、キャップに、キャップの一部を被冠して配置される開閉蓋が設けられており、この開閉蓋を容器の閉栓方向に回転させることで、収納部内に設けられた押圧棒が収納部の一部を破壊するように構成されている。そして、収納部の一部が破壊されることにより、収容部が開封され、収納部内の内容物が飲料水側に落下するようになっている。その後、消費者は、キャップを容器の開栓方向に回転させることによって容器を開栓し、飲料水と当該内容物とが混ぜ合わされた飲料を飲むことができるようになっている。
【先行技術文献】
【特許文献】
【０００３】
【特許文献１】特許第４５８０７２６号公報
【発明の概要】
【発明が解決しようとする課題】
【０００４】
しかしながら、特許文献１に示す容器では、収納部の開封作業と、容器の開栓作業とを個別に行う必要があり、手間がかかってしまうという問題がある。また、収納部を開封することなく容器を開栓してしまう場合もあり、この場合、収納部に収納された内容物が、飲料容器本体に充填された内容物に混合することなく容器が開栓されてしまうといった問題がある。
【０００５】
本発明はこのような点を考慮してなされたものであり、ボトル本体の開栓作業により、開封機構付き容器の収容空間を解放し、当該収容空間に収容された内容物と、ボトル本体に収容された内容物とを容易に混合することが可能な、開封機構付き容器および二重容器を提供することを目的とする。
【課題を解決するための手段】
【０００６】
本発明は、ボトル本体の口部に装着され、外面に第１外ねじが形成されたボトルキャップと、内面に前記ボトルキャップの前記第１外ねじに螺合する第１内ねじが形成された外筒部と、前記外筒部の径方向内側に位置し、外面に第２外ねじが形成された内筒部とを有する内キャップと、前記ボトルキャップと前記内キャップの前記内筒部との間に配置され、内面に前記内キャップの第２外ねじと螺合する第２内ねじが形成された押し下げパーツと、前記内キャップの前記内筒部に着脱自在に取り付けられた中栓部と、を備え、少なくとも前記内キャップの前記内筒部と前記中栓部とによって内容物の収容空間が形成され、前記内キャップを回転させた際、前記押し下げパーツが前記ボトル本体側に移動して前記中栓部を押圧し、前記中栓部を前記内キャップの前記内筒部から取り外す、開封機構付き容器である。
【０００７】
本発明は、前記ボトルキャップと前記押し下げパーツとの間、および前記押し下げパーツと前記内キャップとの間に、シール部材が設けられている、開封機構付き容器である。
【０００８】
本発明は、ボトル本体の口部に装着され、外面に第１外ねじが形成されたボトルキャップと、内面に前記ボトルキャップの前記第１外ねじに螺合する第１内ねじが形成された外筒部と、前記外筒部の径方向内側に位置し、外面に第２外ねじが形成された内筒部とを有する内キャップと、前記ボトルキャップと前記内キャップの前記内筒部との間に配置され、内面に前記内キャップの前記第２外ねじと螺合する第２内ねじが形成された押し下げパーツと、前記内キャップの前記内筒部の内側に配置された内容器と、前記内容器に着脱自在に取り付けられた中栓部と、を備え、少なくとも前記内容器と前記中栓部とによって内容物の収容空間が形成され、前記内キャップを回転させた際、前記押し下げパーツが前記ボトル本体側に移動して前記中栓部を押圧し、前記中栓部を前記内容器から取り外す、開封機構付き容器である。
【０００９】
本発明は、前記ボトルキャップと前記押し下げパーツとの間、および前記押し下げパーツと前記内容器との間に、シール部材が設けられている、開封機構付き容器である。
【００１０】
本発明は、前記内容器は、ガラスまたはシクロオレフィンポリマー樹脂からなる、開封機構付き容器である。
【００１１】
本発明は、前記開封機構付き容器は、前記内キャップの前記内筒部に取り付けられた外栓部を更に備える、開封機構付き容器である。
【００１２】
本発明は、前記ボトルキャップの内面に、前記押し下げパーツの上方への移動を規制する規制部が形成されている、開封機構付き容器である。
【００１３】
本発明は、前記内キャップの前記外筒部に、ピルファープルーフバンドが設けられている、開封機構付き容器である。
【００１４】
本発明は、前記内キャップの前記内筒部の前記第２外ねじ、および前記押し下げパーツの前記第２内ねじのリードは、前記ボトルキャップの前記第１外ねじ、および前記内キャップの前記外筒部の前記第１内ねじのリードよりも大きい、開封機構付き容器である。
【００１５】
本発明は、少なくとも口部と胴部とを含むボトル本体と、前記ボトル本体の前記口部に装着された、本発明による開封機構付き容器とを備える二重容器である。
【発明の効果】
【００１６】
本発明によれば、ボトル本体の開栓作業により、開封機構付き容器の収容空間を解放し、当該収容空間に収容された内容物と、ボトル本体に収容された内容物とを容易に混合することができる。
【図面の簡単な説明】
【００１７】
【図１】図１は、本発明の第１の実施の形態による二重容器を示す斜視図である。
【図２】図２は、本発明の第１の実施の形態による二重容器を示す垂直断面図である。
【図３】図３は、本発明の第１の実施の形態による開封機構付き容器を示す断面図（図２のIII-III線断面図）である。
【図４Ａ】図４Ａは、本発明の第１の実施の形態による開封機構付き容器の製造方法を示す断面図である。
【図４Ｂ】図４Ｂは、本発明の第１の実施の形態による開封機構付き容器の製造方法を示す断面図である。
【図５Ａ】図５Ａは、本発明の第１の実施の形態による開封機構付き容器の製造方法を示す断面図である。
【図５Ｂ】図５Ｂは、本発明の第１の実施の形態による開封機構付き容器の製造方法を示す断面図である。
【図６】図６は、本発明の第１の実施の形態による二重容器の製造方法を示す断面図である。
【図７Ａ】図７Ａは、本発明の第１の実施の形態による開封機構付き容器の開封方法および二重容器の開栓方法を示す断面図である。
【図７Ｂ】図７Ｂは、本発明の第１の実施の形態による開封機構付き容器の開封方法および二重容器の開栓方法を示す断面図である。
【図８】図８は、本発明の第１の実施の形態による二重容器の開栓方法を示す断面図である。
【図９】図９は、本発明の第２の実施の形態による二重容器を示す垂直断面図である。
【図１０】図１０は、本発明の第２の実施の形態による開封機構付き容器の部分拡大図である。
【図１１Ａ】図１１Ａは、本発明の第２の実施の形態による開封機構付き容器の製造方法を示す断面図である。
【図１１Ｂ】図１１Ｂは、本発明の第２の実施の形態による開封機構付き容器の製造方法を示す断面図である。
【発明を実施するための形態】
【００１８】
以下、図面を参照して本発明の一実施の形態について説明する。図１乃至図８は本発明の一実施の形態を示す図である。
【００１９】
（第１の実施の形態）
まず、図１及び図２により、本実施の形態による二重容器の概要について説明する。なお、本明細書中、「上」および「下」とは、それぞれ二重容器１０Ａを正立させた状態（図２）における上方および下方のことをいう。
【００２０】
図１及び図２に示す二重容器１０Ａは、プラスチック材料製のボトル本体１０と、ボトル本体１０の後述する口部１１（図２参照）に装着された開封機構付き容器４０とを備えている。
【００２１】
図２に示すように、ボトル本体１０は、口部１１と、口部１１下方に設けられた肩部１２と、肩部１２下方に設けられた胴部２０と、胴部２０下方に設けられた底部３０とを備えている。このうち口部１１には、上述したように開封機構付き容器４０が装着されており、ボトル本体１０に収容されたボトル本体用内容物Ｃ１を密封している。ここで、ボトル本体用内容物Ｃ１としては、特に限定されるものではないが、例えば医療用の液体製剤、飲料水、シャンプー・リンスや液体洗剤などのトイレタリー用の洗浄剤等が挙げられる。
【００２２】
口部１１は、開封機構付き容器４０に螺着されるための固定用外ねじ１４を有している。なお、口部１１の形状は、従来公知の形状であっても良く、多条ねじ式のキャップ、または打栓式のキャップに対応する形状であっても良い。
【００２３】
肩部１２は、口部１１と胴部２０との間に位置しており、口部１１側から胴部２０側に向けて徐々に径が拡大する形状を有している。
【００２４】
さらに、胴部２０は、全体として略均一な径をもつ円筒形状を有している。しかしながら、これに限られるものではなく、胴部２０が四角形筒形状等の多角形筒形状を有していても良い。あるいは、胴部２０が上方から下方に向けて均一でない水平断面をもつ筒形状を有していても良い。
【００２５】
一方、底部３０は、中央に位置する中央底部３１と、この中央底部３１の周縁に位置する傾斜底部３２とを有している。このうち中央底部３１は、略平坦な面からなっており、中央底部３１の外周は、略円形形状になっている。なお、底部３０の形状についても特に限定されるものではなく、従来公知の底部形状を有していても良い。
【００２６】
ボトル本体１０は、合成樹脂材料を射出成形して製作したプリフォーム（図示せず）を二軸延伸ブロー成形することにより作製することができる。なおプリフォーム、すなわちボトル本体１０の材料としては熱可塑性樹脂、特にＰＥ（ポリエチレン）、ＰＰ（ポリプロピレン）、ＰＥＴ（ポリエチレンテレフタレート）、ＰＥＮ（ポリエチレンナフタレート）を使用する事が好ましい。なお、ボトル本体１０は、ブロー成形機を用いてダイレクトブロー成形法によって作製しても良い。この場合、ボトル本体１０の材料としては、ＰＰ（ポリプロピレン）またはＰＥ（ポリエチレン）を使用しても良く、または、例えば、ＰＰ（ポリプロピレン）／ＥＶＯＨ（エチレンビニルアルコール共重合体）／ＰＰ（ポリプロピレン）、ＰＥ（ポリエチレン）／ＥＶＯＨ（エチレンビニルアルコール共重合体）／ＰＥ（ポリエチレン）といった多層構成を有する材料を用いても良い。
【００２７】
このようなボトル本体１０は、例えば満注容量が１００ｍｌ以上１０００ｍｌ以下のボトルからなっていても良い。
【００２８】
次に、図１乃至図３により、開封機構付き容器４０について説明する。
【００２９】
図２に示すように、開封機構付き容器４０は、ボトルキャップ５０と、内キャップ６０と、ボトルキャップ５０と内キャップ６０との間に配置された押し下げパーツ７０と、内キャップ６０に着脱自在に取り付けられた中栓部８０と、を備えている。このうち、ボトルキャップ５０は、ボトル本体１０の口部１１に装着されるものであり、外面５０ａに第１外ねじ５１が形成されている。
【００３０】
また、ボトルキャップ５０の内面５０ｂに、ボトル本体１０の口部１１の固定用外ねじ１４に螺合する固定用内ねじ５２が形成されている。より詳細には、ボトルキャップ５０は、小径部５３と、小径部５３の下方に設けられた大径部５４とを有しており、小径部５３に第１外ねじ５１が形成され、大径部５４に固定用内ねじ５２が形成されている。また、小径部５３と大径部５４との間には、環状の連結板５５（図１参照）が設けられており、小径部５３、大径部５４および連結板５５は、一体成形されている。また、小径部５３および大径部５４は、それぞれ全体として略均一な径をもつ円筒形状を有している。なお、ボトルキャップ５０は、打栓式のキャップであっても良い。また、小径部５３、大径部５４および連結板５５は、それぞれ個別の部材により作製された後に、互いに接合されていても良い。
【００３１】
また、ボトルキャップ５０の内面５０ｂに、押し下げパーツ７０の上方への移動を規制する規制部５０ｃが形成されている。なお、この規制部５０ｃの詳細については、後述する。
【００３２】
内キャップ６０は、内面６２ａにボトルキャップ５０の第１外ねじ５１に螺合する第１内ねじ６１が形成された外筒部６２と、外筒部６２の径方向内側に位置し、外面６４ａに第２外ねじ６３が形成された内筒部６４とを有している。この内キャップ６０は、外筒部６２の第１内ねじ６１をボトルキャップ５０の第１外ねじ５１に螺合させることにより、ボトルキャップ５０に装着されている。また、外筒部６２と内筒部６４との間には、円盤状の天板６５が設けられており、外筒部６２、内筒部６４および天板６５は、一体成形されている。外筒部６２および内筒部６４は、それぞれ全体として略均一な径をもつ円筒形状を有している。なお、外筒部６２、内筒部６４および天板６５は、それぞれ個別の部材により作製された後に、互いに接合されていても良い。
【００３３】
また、外筒部６２の下端に、ピルファープルーフバンド６６が設けられている。これにより、ピルファープルーフバンド６６が内キャップ６０の外筒部６２から分離されているかどうかを確認することにより、内キャップ６０の不正な開封が生じていたかどうかを判断することができる。一方、内筒部６４の下端部６４ｂには、突起部６７が形成されており、突起部６７が中栓部８０の後述する凹部８１に嵌合するように構成されている。
【００３４】
本実施の形態においては、上述した内キャップ６０の内筒部６４、天板６５および中栓部８０によって、容器用内容物（内容物）Ｃ２の収容空間４１が形成されている。ここで、容器用内容物Ｃ２としては、特に限定されるものではないが、例えば医療用の液体製剤、茶粉末、液体洗剤または粉末洗剤等が挙げられる。
【００３５】
押し下げパーツ７０は、上述したように、ボトルキャップ５０および内キャップ６０の間に配置されている。この押し下げパーツ７０は、内面７０ａに内キャップ６０の内筒部６４の第２外ねじ６３に螺合する第２内ねじ７１が形成されている。この押し下げパーツ７０は、第２内ねじ７１が内キャップ６０の内筒部６４の第２外ねじ６３に螺合することにより、内キャップ６０に装着されている。押し下げパーツ７０は、全体として略均一な径をもつ円筒形状を有している。また、この押し下げパーツ７０は、内キャップ６０を回転させた際、ボトル本体１０側に移動して、中栓部８０を押圧し、中栓部８０を内キャップ６０の内筒部６４から取り外す役割を果たす。
【００３６】
中栓部８０は、内キャップ６０の内筒部６４に取り付けられている。すなわち、中栓部８０の面のうち、収容空間４１側の面に環状の凹部８１が形成されており、この凹部８１が内キャップ６０の内筒部６４の下端部６４ｂに形成された突起部６７と嵌合している。この中栓部８０は、例えばブチレンゴムのようなガスバリア性のある樹脂を用いることができる。なお、中栓部８０は、例えばＰＰ（ポリプロピレン）、ＰＥ（ポリエチレン）等を用いても良い。
【００３７】
ところで、上述したボトルキャップ５０、内キャップ６０および押し下げパーツ７０は、それぞれ合成樹脂材料を射出成形することにより製作することができる。ボトルキャップ５０、内キャップ６０および押し下げパーツ７０の材料としては、例えば、ＰＰ（ポリプロピレン）、ＰＥ（ポリエチレン）、ＡＢＳ（アクリロニトリル、ブタジエン、スチレンの共重合体）、ＰＣ（ポリカーボネート）を使用することが好ましい。
【００３８】
また、上述したボトルキャップ５０の第１外ねじ５１、内キャップ６０の外筒部６２の第１内ねじ６１、内キャップ６０の内筒部６４の第２外ねじ６３および押し下げパーツ７０の第２内ねじ７１は、全て同一方向のねじとなっている。本実施の形態においては、第１外ねじ５１、第１内ねじ６１、第２外ねじ６３および第２内ねじ７１は、全て右ねじとなっている。このため、内キャップ６０を図１の矢印に示す方向（上方から見た場合に反時計回り方向）に回転させることにより、内キャップ６０をボトルキャップ５０から取り外し、二重容器１０Ａを開栓することができるようになっている。なお、ボトル本体１０の口部１１の固定用外ねじ１４およびボトルキャップ５０の固定用内ねじ５２は、上述した第１外ねじ５１、第１内ねじ６１、第２外ねじ６３および第２内ねじ７１とは逆方向の左ねじであっても良い。この場合、内キャップ６０をボトルキャップ５０から取り外す際に、ボトルキャップ５０がボトル本体１０から取り外されることを抑制することができる。なお、第１外ねじ５１、第１内ねじ６１、第２外ねじ６３および第２内ねじ７１は、全て左ねじであっても良い。
【００３９】
なお、以下の説明において、「二重容器１０Ａの開栓方向」とは、二重容器１０Ａを上方から見た場合の反時計回り方向をいい、単に「開栓方向」とも称する。また、以下の説明において、「時計回り方向」とは、二重容器１０Ａまたは開封機構付き容器４０を上方から見た場合の時計回り方向をいい、「反時計回り方向」とは、二重容器１０Ａまたは開封機構付き容器４０を上方から見た場合の反時計回り方向をいう。
【００４０】
また、内キャップ６０の内筒部６４の第２外ねじ６３、および押し下げパーツ７０の第２内ねじ７１のリードは、ボトルキャップ５０の第１外ねじ５１、および内キャップ６０の外筒部６２の第１内ねじ６１のリードよりも大きくなっている。このように、内筒部６４の第２外ねじ６３および押し下げパーツ７０の第２内ねじ７１のリードを、ボトルキャップ５０の第１外ねじ５１および外筒部６２の第１内ねじ６１のリードよりも大きくすることにより、押し下げパーツ７０の移動量を、内キャップ６０の移動量よりも大きくすることができる。このため、押し下げパーツ７０が中栓部８０を効果的に押圧することができ、中栓部８０を内キャップ６０から確実に脱落させることができる。なお、この場合、例えば、第２外ねじ６３および第２内ねじ７１のリードは、第１外ねじ５１および第１内ねじ６１のリードの２倍以上であっても良い。また、第２外ねじ６３および第２内ねじ７１は、例えば２条ねじ等の多条ねじであっても良い。
【００４１】
次に、ボトルキャップ５０の内面５０ｂに形成された規制部５０ｃについて説明する。上述したように、規制部５０ｃは、押し下げパーツ７０の上方への移動を規制するものである。図３に示すように、規制部５０ｃは、ボトルキャップ５０の内面５０ｂのうち小径部５３の内面から径方向内側に突出している。また、押し下げパーツ７０の外面７０ｂには、径方向外側に突出する突起７０ｃが形成されており、規制部５０ｃと突起７０ｃとによって、ラチェット機構が構成されている。この場合、図３に示す例においては、押し下げパーツ７０は、時計回り方向に回転する場合には、押し下げパーツ７０の突起７０ｃがボトルキャップ５０の規制部５０ｃを乗り越えながら回転することができる。一方、押し下げパーツ７０が反時計回り方向に回転する場合には、押し下げパーツ７０の突起７０ｃとボトルキャップ５０の規制部５０ｃとが干渉することにより、押し下げパーツ７０の回転が抑制されるようになっている。
【００４２】
ここで、上述したように、押し下げパーツ７０は、第２内ねじ７１が内キャップ６０の内筒部６４の第２外ねじ６３に螺合することにより、内キャップ６０に装着されている。また、第２内ねじ７１および第２外ねじ６３は、それぞれ右ねじになっている。すなわち、押し下げパーツ７０は、反時計回り方向に回転することによって上方へ移動し、時計回り方向に回転することによって下方へ移動する。このため、押し下げパーツ７０の反時計回り方向への回転が抑制されることにより、押し下げパーツ７０の上方への移動が規制されるようになっている。なお、第２内ねじ７１および第２外ねじ６３が、それぞれ左ねじの場合、押し下げパーツ７０の時計回り方向への回転を抑制することにより、押し下げパーツ７０の上方への移動を規制することができる。
【００４３】
また、押し下げパーツ７０とボトルキャップ５０との間に、シール部材４３ａが設けられ、押し下げパーツ７０と内キャップ６０との間にシール部材４３ｂが設けられている。このシール部材４３ａ、４３ｂは、ボトル本体１０内に収容されたボトル本体用内容物Ｃ１がボトル本体１０の口部１１とボトルキャップ５０との間、およびボトルキャップ５０と内キャップ６０との間から漏れ出ないようする役割を果たす。このシール部材４３ａ、４３ｂは、例えばＯ−リングであっても良い。
【００４４】
次に、本実施の形態による作用について説明する。ここでは、開封機構付き容器４０および二重容器１０Ａの製造方法、並びに開封機構付き容器４０の開封方法および二重容器の開栓方法について、図４Ａ乃至図８により説明する。
【００４５】
（開封機構付き容器および二重容器の製造方法）
まず、図４Ａ乃至図６により、開封機構付き容器４０および二重容器の製造方法について説明する。
【００４６】
はじめに、開封機構付き容器４０の製造方法について説明する。
【００４７】
まず、ボトルキャップ５０、内キャップ６０および押し下げパーツ７０を準備する。この場合、例えば図示しない射出成形機を用いて、射出成形法によりボトルキャップ５０、内キャップ６０および押し下げパーツ７０をそれぞれ作製する。
【００４８】
次に、図４Ａに示すように、ボトルキャップ５０に内キャップ６０を取り付ける。この際、ボトルキャップ５０の上方から内キャップ６０を被せ、ボトルキャップ５０の第１外ねじ５１に、内キャップ６０の外筒部６２の第１内ねじ６１を螺合させる。これにより、内キャップ６０がボトルキャップ５０に螺着する。なお、この際、内キャップ６０にシール部材４３ｂが取り付けられる。なお、シール部材４３ｂは、内キャップ６０に押し下げパーツ７０が取り付けられた後に、内キャップ６０に取り付けられても良い。
【００４９】
次いで、ボトルキャップ５０に取り付けられた内キャップ６０に、押し下げパーツ７０を取り付ける。この際、まず、押し下げパーツ７０に、シール部材４３ａが取り付けられる。次に、図４Ｂに示すように、内キャップ６０の下方から内キャップ６０の内筒部６４とボトルキャップ５０との間に押し下げパーツ７０を挿入し、内キャップ６０の内筒部６４の第２外ねじ６３に、押し下げパーツ７０の第２内ねじ７１を螺合させる。このとき、上述したように、内筒部６４の第２外ねじ６３および押し下げパーツ７０の第２内ねじ７１は右ねじになっている。このため、第２外ねじ６３に、第２内ねじ７１を螺合させる際には、押し下げパーツ７０は、内キャップ６０およびボトルキャップ５０に対して反時計回り方向に回転する。この際、図３を用いて説明したように、押し下げパーツ７０は、押し下げパーツ７０の突起７０ｃがボトルキャップ５０の規制部５０ｃに干渉するが、規制部５０ｃおよび突起７０ｃが破損しない程度の力で、押し下げパーツ７０を回転させる。このようにして、図４Ｂに示すように、押し下げパーツ７０を上方へ移動させる。
【００５０】
そして、図５Ａに示すように、押し下げパーツ７０を所定の位置まで上方へ移動させる。このようにして、内キャップ６０に押し下げパーツ７０が螺着する。
【００５１】
次に、図５Ｂに示すように、内キャップ６０に、中栓部８０を取り付ける。この際、中栓部８０の凹部８１に、内キャップ６０の内筒部６４の下端部６４ｂに形成された突起部６７を嵌合させる。これにより、内キャップ６０に中栓部８０が取り付けられ、収容空間４１が封止される。
【００５２】
このようにして、開封機構付き容器４０が作製される。その後、内キャップ６０に中栓部８０を取り付けた状態で出荷した後に、別の場所（工場等）で中栓部８０を内キャップ６０から取り除き、容器用内容物Ｃ２（図２参照）の収容工程が実施される。なお、内キャップ６０に中栓部８０を取り付ける前に、収容空間４１に容器用内容物Ｃ２を収容しても良い。また、内キャップ６０に中栓部８０を取り付けることなく出荷した後に、別の場所で容器用内容物Ｃ２の収容工程を実施し、その後、内キャップ６０に中栓部８０を取り付けても良い。
【００５３】
次に、二重容器１０Ａの製造方法について説明する。
【００５４】
まず、プラスチック材料製のプリフォーム（図示せず）を準備する。この際、例えば図示しない射出成形機を用いて、射出成形法によりプリフォームを作製する。次に、プリフォームに対して二軸延伸ブロー成形が施される。このようにして、ボトル本体１０（図２参照）が得られる。なお、この場合、ボトル本体１０は、ブロー成形機を用いてダイレクトブロー成形法によって作製しても良い。
【００５５】
次に、ボトル本体１０にボトル本体用内容物Ｃ１（図２参照）を充填する。
【００５６】
続いて、図４Ａ乃至図５Ｂに示す方法により作製した、容器用内容物Ｃ２が収容された開封機構付き容器４０を、ボトル本体用内容物Ｃ１が封止されたボトル本体１０に取り付ける。この際、図６に示すように、開封機構付き容器４０をボトル本体１０の上方から被せ、ボトル本体１０の口部１１の固定用外ねじ１４にボトルキャップ５０の固定用内ねじ５２を螺合させる。これにより、開封機構付き容器４０がボトル本体１０に螺着する。
【００５７】
このようにして、図１および図２に示す二重容器１０Ａが得られる。
【００５８】
（開封機構付き容器の開封方法および二重容器の開栓方法）
次に、図７Ａ乃至図８により、開封機構付き容器４０の開封方法および二重容器の開栓方法について説明する。
【００５９】
まず、図７Ａに示すように、内キャップ６０を二重容器１０Ａの開栓方向に回転させる。この場合、上述したようにボトルキャップ５０の第１外ねじ５１、内キャップ６０の外筒部６２の第１内ねじ６１、内キャップ６０の内筒部６４の第２外ねじ６３および押し下げパーツ７０の第２内ねじ７１は、全て右ねじとなっている。このため、内キャップ６０を、反時計回り方向に回転させる。この際、ボトルキャップ５０がボトル本体１０から取り外されないように、ボトルキャップ５０の大径部５４を指によって把持しておく。なお、ボトル本体１０の口部１１の固定用外ねじ１４およびボトルキャップ５０の固定用内ねじ５２が左ねじである場合や、ボトルキャップ５０が打栓式のキャップである場合には、ボトルキャップ５０の大径部５４を指によって把持することなく、内キャップ６０を回転させても良い。
【００６０】
内キャップ６０を開栓方向に回転させると、内キャップ６０は、内キャップ６０の外筒部６２の第１内ねじ６１が、ボトルキャップ５０の第１外ねじ５１上を摺動する。これにより、図７Ａの矢印Ａ１に示すように、内キャップ６０が上方へ移動する。なお、この際、内キャップ６０の外筒部６２の下端からピルファープルーフバンド６６が分離される。
【００６１】
また、この際、内キャップ６０が開栓方向に回転することにより、内キャップ６０の内筒部６４の第２外ねじ６３が、押し下げパーツ７０の第２内ねじ７１上を摺動する。これにより、押し下げパーツ７０が時計回り方向に回転し、図７Ａの矢印Ａ２に示すように、押し下げパーツ７０が下方（ボトル本体側）へ移動する。これにより、押し下げパーツ７０の下端が中栓部８０を下方に押圧する。
【００６２】
ところで、内キャップ６０の内筒部６４の第２外ねじ６３のねじ山と、押し下げパーツ７０の第２内ねじ７１のねじ山とが噛み合うことにより、第２外ねじ６３が第２内ねじ７１上を容易に摺動し得ない程度に、第２外ねじ６３と第２内ねじ７１とがしっかりと螺合している場合がある。この場合、内キャップ６０を開栓方向（反時計回り方向）に回転させた際に、押し下げパーツ７０が、下方へ移動することなく、内キャップ６０とともに上方へ移動する場合がある。言い換えれば、押し下げパーツ７０が、内キャップ６０とともに開栓方向に回転する可能性がある。これに対して本実施の形態においては、ボトルキャップ５０の内面５０ｂに、押し下げパーツ７０の上方への移動を規制する規制部５０ｃが形成されている。具体的には、図３に示すように、規制部５０ｃおよび突起７０ｃにより、押し下げパーツ７０の反時計回り方向の回転が規制されている。すなわち、押し下げパーツ７０が反時計回り方向に回転すると、突起７０ｃがボトルキャップ５０の規制部５０ｃに干渉することにより、押し下げパーツ７０の反時計回り方向の回転が停止する。これにより、第２外ねじ６３が第２内ねじ７１上を容易に摺動し得ない程度に、第２外ねじ６３と第２内ねじ７１とがしっかりと螺合している場合であっても、内キャップ６０を更に反時計回り方向に回転させることにより、第２外ねじ６３と第２内ねじ７１との螺合を緩めることができる。このため、第２外ねじ６３が、第２内ねじ７１上を摺動することができるようになり、押し下げパーツ７０を、時計回り方向に回転させることができるようになる。この結果、押し下げパーツ７０が下方に向かって移動する。
【００６３】
また、この際、内キャップ６０の内筒部６４の第２外ねじ６３、および押し下げパーツ７０の第２内ねじ７１のリードは、ボトルキャップ５０の第１外ねじ５１、および内キャップ６０の外筒部６２の第１内ねじ６１のリードよりも大きくなっている。これにより、押し下げパーツ７０の下方への移動量が、内キャップ６０の上方への移動量よりも大きくなっている。このため、押し下げパーツ７０が中栓部８０を効果的に押圧することができ、中栓部８０を内キャップ６０から確実に脱落させることができる。この結果、中栓部８０が内キャップ６０から脱落する前に、内キャップ６０がボトルキャップ５０から取り外されることが回避される。
【００６４】
次に、内キャップ６０を開栓方向に更に回転させる。これにより、押し下げパーツ７０が更に下方に移動し、押し下げパーツ７０が中栓部８０を更に押圧する。これにより、図７Ｂに示すように、内キャップ６０の内筒部６４の突起部６７と、中栓部８０の凹部８１との嵌合が解除され、中栓部８０が、内キャップ６０から脱落し、ボトル本体１０内に落下する。これにより、収容空間４１が解放され、収容空間４１内に収容された容器用内容物Ｃ２がボトル本体１０に充填されたボトル本体用内容物Ｃ１内に落下し、ボトル本体用内容物Ｃ１と混合する。
【００６５】
続いて、図８に示すように、内キャップ６０を開栓方向に更に回転させることにより、内キャップ６０がボトルキャップ５０から取り外される。
【００６６】
このようにして、ボトル本体１０の開栓作業により、開封機構付き容器４０の収容空間４１を解放し、当該収容空間４１に収容された容器用内容物Ｃ２と、ボトル本体１０に収容されたボトル本体用内容物Ｃ１とが混合される。
【００６７】
以上のように本実施の形態によれば、内キャップ６０を回転させた際、押し下げパーツ７０がボトル本体１０側に移動して中栓部８０を押圧し、中栓部８０を内キャップ６０の内筒部６４から取り外す。これにより、二重容器１０Ａの開栓作業により、開封機構付き容器４０の収容空間４１を解放することができる。このため、当該収容空間４１に収容された容器用内容物Ｃ２と、ボトル本体１０に収容されたボトル本体用内容物Ｃ１とを容易に混合することができる。
【００６８】
また、本実施の形態によれば、ボトルキャップ５０と押し下げパーツ７０との間に、シール部材４３ａが設けられ、押し下げパーツ７０と内キャップ６０との間に、シール部材４３ｂが設けられている、これにより、ボトル本体１０内に収容されたボトル本体用内容物Ｃ１がボトル本体１０の口部１１とボトルキャップ５０との間、およびボトルキャップ５０と内キャップ６０との間から漏れ出ることを抑制することができる。
【００６９】
また、本実施の形態によれば、ボトルキャップ５０の内面５０ｂに、押し下げパーツ７０の上方への移動を規制する規制部５０ｃが設けられている。これにより、内キャップ６０の内筒部６４の第２外ねじ６３が、押し下げパーツ７０の第２内ねじ７１上を容易に摺動し得ない程度に、第２外ねじ６３と第２内ねじ７１とがしっかりと螺合している場合であっても、押し下げパーツ７０を下方に向かって移動させることができる。
【００７０】
また、本実施の形態によれば、内キャップ６０の内筒部６４の第２外ねじ６３、および押し下げパーツ７０の第２内ねじ７１のリードが、ボトルキャップ５０の第１外ねじ５１、および内キャップ６０の外筒部６２の第１内ねじ６１のリードよりも大きくなっている。これにより、押し下げパーツ７０の下方への移動量を、内キャップ６０の上方への移動量よりも大きくすることができる。このため、中栓部８０が内キャップ６０から脱落する前に、内キャップ６０がボトルキャップ５０から取り外されること回避することができる。
【００７１】
（第２の実施の形態）
次に、図９乃至図１１Ｂを参照して本発明の第２の実施の形態について説明する。図９は本発明の第２の実施の形態による開封機構付き容器を示す垂直断面図である。図９乃至図１１Ｂに示す第２の実施の形態は、開封機構付き容器が、内キャップの内筒部の内側に配置された内容器を備えるものであり、他の構成は上述した第１の実施の形態と略同一である。図９乃至図１１Ｂにおいて、第１の実施の形態と同一部分には同一の符号を付して詳細な説明は省略する。
【００７２】
図９に示すように、本実施の形態による開封機構付き容器４０は、内キャップ６０の内筒部６４の内側に配置された内容器９０を備えている。この内容器９０は、全体として略均一な径をもつ円筒形状を有している。また、図９および図１０に示すように、内容器９０の上端部９０ａ（図１０参照）に、径方向外側に突出する突起部９１が形成されており、突起部９１は、内筒部６４の後述する係合部６４ｄに係合している。このようにして、内容器９０が内キャップ６０に保持されるように構成されている。また、図９に示すように、内容器９０の下端部９０ｂに、径方向外側に突出する突起部９２が形成されており、突起部９２が中栓部８０の凹部８１に嵌合している。このように、本実施の形態による中栓部８０は、内容器９０に着脱自在に取り付けられている。このような内容器９０は、例えばガラスまたはシクロオレフィンポリマー樹脂からなっていても良い。
【００７３】
また、図９および図１０に示すように、本実施の形態においては、内キャップ６０の内筒部６４は、天板６５から上方へ延びている。また、図１０に示すように、内筒部６４の上端部６４ｃに、径方向外側に窪む係合部６４ｄが形成されている。また、内筒部６４には、開口６４ｅが形成されている。さらに、内筒部６４のうち、天板６５から上方へ延びる部分の外面６４ａには、固定用外ねじ６８が形成されている。
【００７４】
また、図９および図１０に示すように、開封機構付き容器４０は、内キャップ６０の内筒部６４に取り付けられた外栓部８２を更に備えている。図１０に示すように、外栓部８２は、開口８３ａが形成された本体部８３と、本体部８３の開口８３ａを封止する封止部８４とを有している。このうち本体部８３の内面８３ｂに、内筒部６４の固定用外ねじ６８に螺合する固定用内ねじ８５が形成されている。この本体部８３は、合成樹脂材料を射出成形することにより製作することができ、本体部８３の材料としては、ボトルキャップ５０、内キャップ６０および押し下げパーツ７０と同様のものを使用することができる。
【００７５】
封止部８４は、円盤状の第１封止部８４ａと、第１封止部８４ａから径方向外側に延び、上下方向において本体部８３と内容器９０との間に介在する第２封止部８４ｂと、第１封止部８４ａから下方に延び、内容器９０の上端部９０ａに径方向内側から接触する第３封止部８４ｃとを含んでいる。この封止部８４は、外栓部８２を二重容器１０Ａの閉栓方向に回転させた際に、第２封止部８４ｂと第３封止部８４ｃとが内容器９０に密着することにより、開封機構付き容器４０の収容空間４１を封止する役割を果たす。この封止部８４は、例えばブチレンゴムのようなガスバリア性のある樹脂を用いることができる。なお、外栓部８２は、単一の部材から構成されていてもよい。
【００７６】
このような構成により、本実施の形態においては、内容器９０と、中栓部８０と、外栓部８２の封止部８４とによって、容器用内容物Ｃ２の収容空間４１が形成されている。この場合、内容器９０が、ガラスまたはシクロオレフィンポリマー樹脂からなり、中栓部８０および封止部８４がブチレンゴムからなっている場合、容器用内容物Ｃ２として、例えば抗がん剤等の液体製剤を好適に収容することができる。
【００７７】
また、本実施の形態においては、押し下げパーツ７０と内容器９０との間に、シール部材４３ｂが設けられている。この場合においても、ボトル本体１０内に収容されたボトル本体用内容物Ｃ１がボトル本体１０の口部１１とボトルキャップ５０との間、およびボトルキャップ５０と内キャップ６０との間から漏れ出ることを抑制することができる。
【００７８】
本実施の形態による開封機構付き容器４０を作製する際、まず、図４Ａ乃至図５Ａを用いて説明したように、ボトルキャップ５０に内キャップ６０を取り付け、ボトルキャップ５０に取り付けられた内キャップ６０に押し下げパーツ７０を取り付ける。
【００７９】
次に、図１１Ａに示すように、内キャップ６０の内筒部６４の開口６４ｅから、内容器９０を挿入し、内容器９０を内キャップ６０に取り付ける。この際、内容器９０の上端部９０ａに形成された突起部９１を、内キャップ６０の内筒部６４の上端部６４ｃに形成された係合部６４ｄに係合させる。これにより、内容器９０が内キャップ６０に保持される。なお、この際、押し下げパーツ７０と内容器９０との間に、シール部材４３ｂが取り付けられる。
【００８０】
次いで、図１１Ｂに示すように、内容器９０に、中栓部８０を取り付ける。この際、中栓部８０の凹部８１に、内容器９０の下端部９０ｂに形成された突起部９２を嵌合させる。これにより、内容器９０に中栓部８０が取り付けられる。
【００８１】
次に、開口６４ｅから収容空間４１に容器用内容物Ｃ２を充填し、開口６４ｅを外栓部８２によって封止する。このようにして、図９に示す開封機構付き容器４０が作製される。
【００８２】
なお、二重容器１０Ａを開栓する際には、図７Ａ乃至図８を用いて説明したように、内キャップ６０を開栓方向に回転させることにより、内キャップ６０がボトルキャップ５０から取り外される。この際、図７Ａおよび図７Ｂを用いて説明したように、押し下げパーツ７０が下方に移動し、押し下げパーツ７０が中栓部８０を押圧する。これにより、中栓部８０が、内容器９０から脱落し、ボトル本体１０内に落下する。これにより、収容空間４１が解放され、収容空間４１内に収容された容器用内容物Ｃ２がボトル本体１０に充填されたボトル本体用内容物Ｃ１内に落下し、ボトル本体用内容物Ｃ１と混合する。なお、本実施の形態においては、二重容器１０Ａを開栓する際に、容器用内容物Ｃ２とボトル本体用内容物Ｃ１と混合した後に、内キャップ６０をボトルキャップ５０から取り外すことなく、外栓部８２を内キャップ６０から取り外しても良い。
【００８３】
このように本実施の形態においても、二重容器１０Ａの開栓作業により、開封機構付き容器４０の収容空間４１を解放することができる。このため、当該収容空間４１に収容された容器用内容物Ｃ２と、ボトル本体１０に収容されたボトル本体用内容物Ｃ１とを容易に混合することができる。
【００８４】
また、本実施の形態によれば、開封機構付き容器４０は、内キャップ６０の内筒部６４の内側に配置された内容器９０を備えている。また、開封機構付き容器４０は、内キャップ６０の内筒部６４に取り付けられた外栓部８２を更に備えている。これにより、容器用内容物Ｃ２として、例えば抗がん剤等の液体製剤を好適に収容することもできる。
【００８５】
上記各実施の形態および変形例に開示されている複数の構成要素を必要に応じて適宜組合せることも可能である。あるいは、上記各実施の形態および変形例に示される全構成要素から幾つかの構成要素を削除してもよい。
【符号の説明】
【００８６】
１０      ボトル本体
１１      口部
２０      胴部
４０      開封機構付き容器
４１      収容空間
４３ａ    シール部材
４３ｂ    シール部材
５０      ボトルキャップ
５０ａ    外面
５０ｂ    内面
５０ｃ    規制部
５１      第１外ねじ
６０      内キャップ
６１      第１内ねじ
６２      外筒部
６２ａ    内面
６３      第２外ねじ
６４      内筒部
６４ａ    外面
６６      ピルファープルーフバンド
７０      押し下げパーツ
７０ａ    内面
７１      第２内ねじ
８０      中栓部
８２      外栓部
９０      内容器
【図１】
2019172314.tif 000003
【図２】
2019172314.tif 000004
【図３】
2019172314.tif 000005
【図４Ａ】
2019172314.tif 000006
【図４Ｂ】
2019172314.tif 000007
【図５Ａ】
2019172314.tif 000008
【図５Ｂ】
2019172314.tif 000009
【図６】
2019172314.tif 000010
【図７Ａ】
2019172314.tif 000011
【図７Ｂ】
2019172314.tif 000012
【図８】
2019172314.tif 000013
【図９】
2019172314.tif 000014
【図１０】
2019172314.tif 000015
【図１１Ａ】
2019172314.tif 000016
【図１１Ｂ】
2019172314.tif 000017